【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
モバイル機器が、
第一のカレンダーソース専用の第一の固有カレンダーフォーマットで第一のカレンダーデータを記憶している第一のカレンダーソースから、前記第一のカレンダーデータを受信するステップと、
前記第一の固有カレンダーフォーマットとは異なる、第二のカレンダーソース専用の第二の固有カレンダーフォーマットで第二のカレンダーデータを記憶している第二のカレンダーソースから、前記第二のカレンダーデータを受信するステップと、
前記第一のカレンダーデータと前記第二のカレンダーデータの双方において重複するカレンダーの入力を識別し削除して重複のないカレンダーデータを生成するステップと、
前記重複のないカレンダーデータをフィルタリングしてハイパーリンク、特殊文字、添付ファイルのうちの少なくとも１つを削除するステップと、
前記重複のないカレンダーデータを処理して、カレンダーの入力の第一の組の各々が零でないタイムウィンドウを特定する場合は、前記カレンダーの入力の第一の組を予定されたカレンダーのイベントであると特徴付け、さらに、カレンダーの入力の第二の組の各々が零でないタイムウィンドウを特定することなく所定の日付と関連付けられている場合は、前記カレンダーの入力の第二の組をカレンダーの通知であると特徴付けるステップと、
前記重複のないカレンダーデータを変換して、車載システムへ転送するのに適した車両用カレンダーフォーマットにおける変換されたカレンダーデータを生成するステップであって、前記変換されたカレンダーデータは各入力が予定されたカレンダーのイベントに相当するかカレンダーの通知に相当するかを示しているステップと、
短距離通信プロトコルを使用して、前記変換されたカレンダーデータを前記モバイル機器から前記車載システムへ転送するステップと、
を含むことを特徴とする車両内表示用の電子カレンダーを提供する方法。
【請求項２】
前記第一のカレンダーソースは、第一のネットワークベース・カレンダーサーバを含み、前記第二のカレンダーソースは、第二のネットワークベース・カレンダーサーバを含むことを特徴とする請求項１に記載の方法。
【請求項３】
前記第一のカレンダーソースは、前記第一のネットワークベース・カレンダーサーバを含み、前記第二のカレンダーソースは、前記モバイル機器が実行するカレンダーアプリケーションを含むことを特徴とする請求項１に記載の方法。
【請求項４】
前記モバイル機器が、
所定の時間範囲に入るカレンダーの入力を抽出するために、前記重複のないカレンダーデータをスケーリングするステップと、をさらに有し、
前記所定の時間範囲は、前記第一の固有カレンダーフォーマットにおける第一のカレンダーデータと前記第二の固有カレンダーフォーマットにおける前記第二のカレンダーデータとから生成される重複のないカレンダーデータの時間範囲よりも狭いことを特徴とする請求項１に記載の方法。
【請求項５】
前記モバイル機器が、
前記車載システムを使用してなされたカレンダーの入力に対する変更を反映した、前記車両用カレンダーフォーマットの更新カレンダーデータを前記車載システムから受信するステップと、
前記車両用カレンダーフォーマットの前記更新カレンダーデータを、前記第一の固有カレンダーフォーマットに変換するステップと、 
前記更新カレンダーデータを前記第一の固有カレンダーフォーマットで、前記第一のカレンダーソースに提供するステップと、
をさらに有することを特徴とする請求項１に記載の方法。
【請求項６】
前記モバイル機器が、
リフレッシュトリガイベントを検出するステップと、
前記リフレッシュトリガイベントの検出に応じて、前記第一のカレンダーソースからの前記第一のカレンダーデータのリフレッシュを要求するステップと、         
をさらに含むことを特徴とする請求項１に記載の方法。
【請求項７】
前記リフレッシュトリガイベントを検出する前記ステップは、車両のエンジン点火を表わす前記車載システムからの信号の受信を含むことを特徴とする請求項６に記載の方法。
【請求項８】
前記リフレッシュトリガイベントを検出する前記ステップは、最後のリフレッシュから所定の時間経過したことの検出を含むことを特徴とする請求項６に記載の方法。
【請求項９】
前記モバイル機器が、
前記車載システムから、話言葉の音声録音を含むボイスノートを受信するステップと、
前記話言葉の音声テキスト変換を含む記録したテキストを取得するステップと、
前記記録したテキストに記載されている、イベントの予定を有する新しいカレンダーの入力を生成するステップと、
前記カレンダーの入力を前記車載システムに転送するステップと、
をさらに含むことを特徴とする請求項１に記載の方法。
【請求項１０】
前記記録したテキストを取得する前記ステップは、
前記ボイスノートを処理するために、前記ボイスノートをボイスノートサーバにアップロードするステップと、
前記ボイスノートサーバから前記記録したテキストを受信するステップと、をさらに含むことを特徴とする請求項８に記載の方法。
【請求項１１】
プロセッサによって実行される命令を記憶した、コンピュータが読み取り可能な非一時的な記憶媒体であって、プロセッサによって実行されると、プロセッサが、
第一のカレンダーソース専用の第一の固有カレンダーフォーマットで第一のカレンダーデータを記憶する前記第一のカレンダーソースから、前記第一のカレンダーデータを受信するステップと、
前記第一のカレンダーフォーマットとは異なる、第二のカレンダーソース専用の第二の固有カレンダーフォーマットで第二のカレンダーデータを記憶する第二のカレンダーソースから前記第二のカレンダーデータを受信するステップと、
前記第一のカレンダーデータと前記第二のカレンダーデータの双方において重複するカレンダーの入力を識別し削除して重複のないカレンダーデータを生成するステップと、
前記重複のないカレンダーデータをフィルタリングしてハイパーリンク、特殊文字、添付ファイルのうちの少なくとも１つを削除するステップと、
前記重複のないカレンダーデータを処理して、カレンダーの入力の第一の組の各々が零でないタイムウィンドウを特定する場合は、前記カレンダーの入力の第一の組を予定されたカレンダーのイベントであると特徴付け、さらに、カレンダーの入力の第二の組の各々が零でないタイムウィンドウを特定することなく所定の日付と関連付けられている場合は、前記カレンダーの入力の第二の組をカレンダーの通知であると特徴付けるステップと、
前記重複のないカレンダーデータを変換して、車載システムへの転送に適した車両用カレンダーフォーマットにおける変換されたカレンダーデータを生成するステップであって、前記変換されたカレンダーデータは各入力が予定されたカレンダーのイベントに相当するかカレンダーの通知に相当するかを示しているステップと、
短距離通信プロトコルを使用して、前記変換されたカレンダーデータを前記モバイル機器から前記車載システムへ転送するステップと、
を含むステップを実行する命令を記憶したコンピュータが読み取り可能な非一時的な記憶媒体。
【請求項１２】
車載コンピュータシステムが、
短距離通信プロトコルを介してモバイル機器から受信した、複数のカレンダーの入力を含む、カレンダーデータを受信するステップと、
前記カレンダーの入力を処理して、カレンダーの入力の第一の組の各々が零でないタイムウィンドウを特定する場合は、前記カレンダーの入力の第一の組を予定されたカレンダーのイベントであると特徴付け、さらに、カレンダーの入力の第二の組の各々が零でないタイムウィンドウを特定することなく所定の日付と関連付けられている場合は、前記カレンダーの入力の第二の組をカレンダーの通知であると特徴付けるステップと、、
前記予定されたカレンダーのイベントを表示するためのイベントウィンドウと、前記カレンダーの通知を表示するための通知ウィンドウとを含む、前記カレンダーの入力を表示するためのユーザインターフェースを生成するステップであって、前記通知ウィンドウは前記ユーザインタフェースの前記イベントウィンドウとは異なる部分にあり、前記通知ウィンドウは限られた数の通知と選択されたときに前記ユーザインターフェースに追加的な通知を表示させる第一のインジケータとを表示し、前記イベントウィンドウは限られた数のイベントと選択されたときに前記ユーザインターフェースに追加的なイベントを表示させる第二のインジケータとを表示する、ステップと、
前記車載コンピュータシステムの車載表示装置を用いて、前記ユーザインターフェースを表示するステップとを含むことを特徴とする、車両環境内で電子カレンダーを管理するための方法。
【請求項１３】
前記車載コンピュータシステムが、
前記カレンダーの入力を連絡先の入力に関連付けて、前記カレンダーの入力のメタデータと前記連絡先の入力のメタデータとの間で一致する可能性のあるデータを検索するステップと、
時刻があるカレンダーの入力の予定された時間になったことに応じて、前記一致する可能性のあるデータを使用して、アクションを起動するステップと、を含むことを特徴とする請求項１２に記載の方法。 
【請求項１４】
前記アクションを起動するステップは、前記カレンダーの入力のイベントの招待者の少なくとも一部と一致する連絡先の名前もしくは前記カレンダーの入力のイベントの位置の少なくとも一部と一致する連絡先の住所を含んだ連絡先の入力の一覧を表示することを含むことを特徴とする請求項１３に記載の方法。
【請求項１５】
前記車載コンピュータシステムが、
前記連絡先の入力の一覧から一つの連絡先の入力を選択したことの受信に応じて、 
前記選択された連絡先に対応する電話番号を使って、電話をかけるステップとをさらに有することを特徴とする請求項１４に記載の方法。 
【請求項１６】
前記車載コンピュータシステムが、
前記連絡先の入力の一覧から一つの連絡先の入力を選択したことの受信に応じて、
前記選択された連絡先に対応する住所への案内経路を生成するステップとをさらに有することを特徴とする請求項１４に記載の方法。 
【請求項１７】
前記アクションを起動する前記ステップは、
前記カレンダー入力のイベントの位置の少なくとも一部と一致するＰＯＩのリストを表示するステップと、
前記ＰＯＩのリストの一つの選択の受信に応じて、前記選択したＰＯＩに対応する住所への案内経路を生成することを特徴とする請求項１３に記載の方法。
【請求項１８】
前記車載コンピュータシステムが、
その一つ一つが、予定されたアラート時刻を有するとともにカレンダーの入力に対応する、一つ以上の予定されたカレンダーアラートをアラートデータベースに記憶するステップと、
現在時刻が前記予定されたアラート時刻と一致した時を判定するステップと、
前記現在時刻が前記予定されたアラート時刻と一致したことに応じて、アラートをトリガするステップと、
を含むことを特徴とする請求項１２に記載の方法。
【請求項１９】
前記アラートをトリガする前記ステップは、
前記車両のディスプレイに視覚的なメッセージを表示するステップと、
聴覚的なアラートを起動するステップのうちの少なくとも一つを含むことを特徴とする請求項１８に記載の方法。
【請求項２０】
前記車載コンピュータシステムが、
前記トリガされたアラートに対するスヌーズ要求を受信するステップと、 
前記アラート時刻に、所定のスヌーズ時間を加えることにより、前記アラート時刻を更新するステップと、
前記更新されたアラート時刻を前記アラートデータベースに記憶するステップと、
をさらに含むことを特徴とする請求項１８に記載の方法。
【請求項２１】
短距離通信プロトコルを介してモバイル機器から複数のカレンダーの入力を含むカレンダーデータを受信するための短距離通信機器であって、カレンダーの入力の第一の組の各々が零でないタイムウィンドウを特定する場合は、前記カレンダーの入力の第一の組を予定されたカレンダーのイベントであると特徴付け、さらに、カレンダーの入力の第二の組の各々が零でないタイムウィンドウを特定することなく所定の日付と関連付けられている場合は、前記カレンダーの入力の第二の組をカレンダーの通知であると特徴付ける、短距離通信機器と、
前記予定されたカレンダーのイベントを表示するためのイベントウィンドウと、前記カレンダーの通知を表示するための通知ウィンドウとを含む、前記カレンダーデータを表示するためのユーザインターフェースを生成する車載コンピュータシステムであって、前記通知ウィンドウは前記ユーザインタフェースの前記イベントウィンドウとは異なる部分にあり、前記通知ウィンドウは限られた数の通知と選択されたときに前記ユーザインターフェースに追加的な通知を表示させる第一のインジケータとを表示し、前記イベントウィンドウは限られた数のイベントと選択されたときに前記ユーザインターフェースに追加的なイベントを表示させる第二のインジケータとを表示する、車載コンピュータシステムと
前記受信したカレンダーデータを表示するユーザインターフェースを表示するための車載ディスプレイとを備えることを特徴とする車両環境内で電子カレンダーを管理するためのシステム。